(57)【要約】【課題】ビデオ信号における垂直同期信号の極性判定に掛かる時間を短縮する。【解決手段】ビデオ信号に含まれる垂直同期信号の有効時の極性を判定する極性判定装置は、垂直同期信号が同じ極性を維持している間の時間長を計測し、計測されている時間長が所定の時間長を超えた時の垂直同期信号の極性を取得し、取得された極性に基づいて、垂直同期信号の有効時の極性を判定する。【選択図】  図１
2014229948.tif 000002
【特許請求の範囲】
【請求項１】
ビデオ信号に含まれる垂直同期信号の有効時の極性を判定する極性判定装置であって、
前記垂直同期信号が同じ極性を維持している間の時間長を計測する計測手段と、
前記計測手段により計測されている時間長が所定の時間長を超えた時の前記垂直同期信号の極性を取得する取得手段と、
前記取得手段により取得された極性に基づいて、前記垂直同期信号の有効時の極性を判定する判定手段と、を備えることを特徴とする極性判定装置。
【請求項２】
前記所定の時間長は、前記垂直同期信号の有効パルスの幅よりも長く、前記垂直同期信号の周期幅よりも短いことを特徴とする請求項１に記載の極性判定装置。
【請求項３】
前記計測手段は、水平同期信号の数をカウントすることにより前記時間長を計測することを特徴とする請求項１または２に記載の極性判定装置。
【請求項４】
前記計測手段は、前記垂直同期信号の極性が切り替わった時点でカウンタに初期値をセットし、前記水平同期信号を検出するたびに前記カウンタを減算し、
前記取得手段は、前記カウンタの値がゼロに達したときの前記垂直同期信号の極性を取得し、
前記初期値は、前記所定の時間に相当する前記水平同期信号の数であることを特徴とする請求項３に記載の極性判定装置。
【請求項５】
前記判定手段は、前記取得手段により取得された極性が１の場合は前記垂直同期信号の有効時の極性が負極性であると判定し、前記取得手段により取得された極性が０の場合は前記垂直同期信号の有効時の極性が正極性であると判定することを特徴とする請求項１乃至４のいずれか１項に記載の極性判定装置。
【請求項６】
ビデオ信号に含まれる垂直同期信号の有効時の極性を判定する極性判定装置の制御方法であって、
計測手段が、前記垂直同期信号が同じ極性を維持している間の時間長を計測する計測工程と、
取得手段が、前記計測工程で計測されている時間長が所定の時間長を超えた時の前記垂直同期信号の極性を取得する取得工程と、
判定手段が、前記取得工程で取得された極性に基づいて、前記垂直同期信号の有効時の極性を判定する判定工程と、を有することを特徴とする極性判定装置の制御方法。
【請求項７】
ビデオ信号におけるデータ有効信号の有効時の極性を判定する極性判定装置であって、
前記ビデオ信号に含まれる水平同期信号の有効時における前記データ有効信号の極性を取得する取得手段と、
前記取得手段により取得された極性に基づいて、前記データ有効信号の有効時の極性を判定する判定手段と、を備えることを特徴とする極性判定装置。
【請求項８】
前記判定手段は、前記取得手段により取得された極性が１の場合は前記データ有効信号の有効時の極性が負極性であると判定し、前記取得手段により取得された極性が０の場合は前記データ有効信号の有効時の極性が正極性であると判定することを特徴とする請求項７に記載の極性判定装置。
【請求項９】
ビデオ信号におけるデータ有効信号の有効時の極性を判定する極性判定装置の制御方法であって、
取得手段が、前記ビデオ信号に含まれる水平同期信号の有効時における前記データ有効信号の極性を取得する取得工程と、
判定手段が、前記取得工程で取得された極性に基づいて、前記データ有効信号の有効時の極性を判定する判定工程と、を有することを特徴とする極性判定装置の制御方法。
【発明の詳細な説明】
【技術分野】
【０００１】
本発明は、画面表示を可能とするための映像同期信号の極性検出技術に関する。
【背景技術】
【０００２】
これまでにビデオ同期信号の極性判定をおこなう装置が提案されている。たとえば、水平同期信号のパルスをカウントして、垂直同期信号の各極性における期間のカウンタ値を比較して垂直同期信号の極性を判定する方法が特許文献１に提案されている。また、同期信号を積分回路に入力し積分結果と同期信号の排他的論理和をとることで同期信号を決定する方法が特許文献２に提案されている。なお、特許文献２の提案では、積分回路に１周期以上（１フレーム異常）の信号を入力することを前提としている。
【先行技術文献】
【特許文献】
【０００３】
【特許文献１】特開平８−３３９１７４
【特許文献２】特開平２−６５７４
【発明の概要】
【発明が解決しようとする課題】
【０００４】
特許文献１や特許文献２に記載された方法によりビデオ信号を同期させる場合、映像の同期信号の極性を判定するために１フレーム分の時間が必要であるため、画面表示に掛かる時間が長くなる。また、同期信号の極性を判定するに際して、同期信号の極性をいずれか一方に決めうちする方式も提案されている。しかしながら、この方式では、極性が決め打ちした極性と一致した場合には迅速に画面表示を行えるが、極性が逆の場合には画面表示に掛かる時間が長くなってしまうという課題があった。
【０００５】
本発明は上述した課題を解決するためになされたものであり、ビデオ信号における垂直同期信号の極性判定に掛かる時間を短縮することを目的とする。
【課題を解決するための手段】
【０００６】
上記の目的を達成するための本発明の一態様による極性判定装置は以下の構成を備える。すなわち、
ビデオ信号に含まれる垂直同期信号の有効時の極性を判定する極性判定装置であって、
前記垂直同期信号が同じ極性を維持している間の時間長を計測する計測手段と、
前記計測手段により計測されている時間長が所定の時間長を超えた時の前記垂直同期信号の極性を取得する取得手段と、
前記取得手段により取得された極性に基づいて、前記垂直同期信号の有効時の極性を判定する判定手段と、を備える。
【発明の効果】
【０００７】
以上の構成からなる本発明によれば、ビデオ信号に含まれる垂直同期信号の極性判定にかかる時間が短縮され、短い時間で画面表示を開始することが可能となる。
【図面の簡単な説明】
【０００８】
【図１】第１実施形態の極性判定装置の構成を示す図。
【図２】第１実施形態による同期信号記憶部の内部構成を示す図。
【図３】第１実施形態によるパルス幅計測部の内部構成を示す図。
【図４】第１実施形態による極性判定部の内部構成を示す図。
【図５】第１実施形態による極性判定装置の動作を説明するタイミングチャート。
【図６】第１実施形態による極性判定装置の動作を説明するタイミングチャート。
【図７】第２実施形態による極性判定装置の構成を示す図。
【図８】第２実施形態による極性判定装置の動作を示すタイミングチャート。
【図９】第２実施形態による極性判定装置の動作を示すタイミングチャート。
【発明を実施するための形態】
【０００９】
以下、添付の図面を参照して、本発明をその好適な実施形態に基づいて詳細に説明する。なお、以下の実施形態において示す構成は一例に過ぎず、本発明は図示された構成に限定されるものではない。
【００１０】
＜第１実施形態＞
図１は、第１実施形態に係る、ビデオ信号に含まれる垂直同期信号の有効時の極性を判定する極性判定装置の構成を示すブロック図である。図１に示すように、本実施形態の極性判定装置は、同期信号記憶部１０４、パルス幅計測部１０５、極性判定部１０６を有し、垂直同期信号の極性判定を制御する。第１実施形態の極性判定装置では、同期信号記憶部１０４とパルス幅計測部１０５により、垂直同期信号が同じ極性を維持している間の時間長が計測される。極性判定部１０６は、パルス幅計測部１０５により計測されている上記時間長が所定の時間長を超えた時点で垂直同期信号の極性を取得し、取得した極性に基づいて垂直同期信号の有効時の極性が正極性か負極性（ハイアクティブかロウアクティブか）を判定する。以下、このような処理を実現する極性判定装置の構成や動作の一例を具体的に説明する。
【００１１】
図１に示すように、本実施形態の極性判定装置は、垂直同期信号１０１、水平同期信号１０２、クロック信号１０３を入力とする。本実施形態では、タイミング信号として、クロック信号１０３を用いている。なお、本実施形態において水平同期信号１０２がハイアクティブであるかロウアクティブであるかはあらかじめ決まっているものとし、以降、水平同期信号１０２はハイアクティブであるとして説明する。
【００１２】
同期信号記憶部１０４は、組み合わせ回路１１０とフリップフロップ１１１ａを有する。同期信号記憶部１０４は、クロック信号１０３の１周期分手前の垂直同期信号１０１の値を記憶する。記憶されている垂直同期信号記憶値１０７はクロック信号１０３の立ち上がり時に、フリップフロップ１１１ａよりパルス幅計測部１０５へ入力される。
【００１３】
パルス幅計測部１０５は、組み合わせ回路１１２と４ビットのレジスタ１１３で構成される。パルス幅計測部１０５は、垂直同期信号の値が同一に維持された状態が一定期間以上あるかを計測して、計測した値（パルス幅計測値１０８）を極性判定部１０６に送信する。後述するように、本実施形態では、パルス幅計測値１０８は初期値から減算されていく値を示す。
【００１４】
極性判定部１０６は、組み合わせ回路１１４とフリップフロップ１１１ｂを有する。極性判定部１０６は、パルス幅計測部１０５からパルス幅計測値１０８を受信して、極性判定信号１０９を出力する。極性判定部１０６は、パルス幅計測値１０８が０（ゼロ）であるときに垂直同期信号１０１が１であれば、垂直同期信号１０１は負極性であると判定する。また、極性判定部１０６は、パルス幅計測値１０８が０（ゼロ）であるときに垂直同期信号１０１が０であれば、垂直同期信号１０１は正極性であると判定する。
【００１５】
図２は第１実施形態の同期信号記憶部１０４の具体的な構成の一例を示す図である。図２の同期信号記憶部１０４は、組み合わせ回路１１０としてのセレクタ２０１、およびフリップフロップ１１１ａを具備する。同期信号記憶部１０４は、垂直同期信号１０１、水平同期信号１０２、クロック信号１０３を入力とし、垂直同期信号記憶値１０７を出力する。セレクタ２０１は、水平同期信号１０２が１であるときに垂直同期信号１０１を出力する。水平同期信号１０２が０であるときはフリップフロップ２０２が出力している値を出力する。フリップフロップ１１１ａは、クロック信号１０３の立ち上がり時にセレクタ２０１の出力信号を入力Ｄから出力Ｑへ転送し、垂直同期信号記憶値１０７を出力する。
【００１６】
図３は第１実施形態のパルス幅計測部１０５の構成例を示す図である。パルス幅計測部１０５は、ゲート３０１、３０２、３０３、デクリメンタ３０４、セレクタ３０５ａ、３０５ｂ、４ビットのレジスタ１１３によって構成される。デクリメンタ３０４、セレクタ３０５ａ、３０５ｂ、４ビットのレジスタ１１３は、ダウンカウンタ３１０を構成する。
【００１７】
パルス幅計測部１０５は、垂直同期信号１０１、水平同期信号１０２、クロック信号１０３、垂直同期信号記憶値１０７を入力とし、パルス幅計測値１０８を出力する。パルス幅計測部１０５は、本実施形態では、パルス幅計測値１０８を４ビットの論理値で出力する。なお、パルス幅計測値１０８の出力方法は以下に説明する方法に限定されるものではなく、他の方法でパルス幅計測値１０８を出力しても良い。
【００１８】
ゲート３０１は、垂直同期信号記憶値１０７と垂直同期信号１０１の排他的論理和を出力する。ゲート３０２は、ゲート３０１の出力信号と水平同期信号１０２の論理積を出力する。ゲート３０３は、ゲート３０１の出力信号を反転した信号と水平同期信号１０２の論理積を出力する。
【００１９】
セレクタ３０５ｂは、ゲート３０２が出力する信号が１である場合に、予めパルス幅計測部１０５の内部で設定されている初期値を出力する。また、セレクタ３０５ｂは、ゲート３０２が出力する信号が０である場合に、セレクタ３０５ａから出力される信号を出力する。
【００２０】
４ビットのレジスタ１１３は、クロック信号１０３が立ち上がる時に、セレクタ３０５ｂから出力される信号を入力Ｄから出力Ｑへ転送する。デクリメンタ３０４は、４ビットのレジスタ１１３から送信される論理値を１つデクリメントし、出力Ｐにデクリメントした結果を出力する。セレクタ３０５ａは、ゲート３０３が出力する信号が１である場合に、デクリメンタ３０４から送信される信号を出力する。また、セレクタ３０５ａは、ゲート３０３が出力する信号が０である場合に、４ビットのレジスタ１１３から送信される信号を出力する。
【００２１】
すなわち、デクリメンタ３０４、セレクタ３０５ａ、３０５ｂ、４ビットのレジスタ１１３で構成されるダウンカウンタ３１０は、セレクタ３０５ｂから入力された初期値をデクリメントし、その結果（カウンタ値）をセレクタ３０５ｂから出力する。
【００２２】
このようにして、パルス幅計測部１０５は、垂直同期信号１０１の極性が変化した場合はダウンカウンタ３１０のカウンタ値を初期値に設定し、垂直同期信号１０１が同一の場合はカウンタ値をデクリメントする。これにより、垂直同期信号１０１の値が同一である状態が一定期間以上あるかを計測する（垂直同期信号１０１の値が維持されている期間が所定の時間を超えるか否かを判定する）ことができる。パルス幅計測部１０５は、セレクタ３０５ｂが出力するカウンタ値をパルス幅計測値１０８として出力する。
【００２３】
図４に、本実施形態の極性判定部１０６の構成例を示す。図４の極性判定部１０６は、セレクタ４０４、ゲート４０１，４０３、フリップフロップ１１１ｂを有する。極性判定部１０６は、垂直同期信号１０１、水平同期信号１０２、クロック信号１０３、パルス幅計測値１０８を入力とし、極性判定信号１０９を出力する。なお、極性判定部１０６の構成は、本実施形態に限定されるものではなく、他の構成としても良い。
【００２４】
ゲート４０１は、パルス幅計測値１０８の各ビットの値を反転した値を入力とし、それらの値の論理積を出力する。ゲート４０３は、水平同期信号１０２とゲート４０１の出力信号を入力とし、それらの論理積をセレクト信号４０２としてセレクタ４０４へ出力する。セレクタ４０４は、垂直同期信号１０１とフリップフロップ１１１ｂの出力信号およびセレクト信号４０２を入力とし、セレクト信号４０２が１の場合は、垂直同期信号１０１を出力する。また、セレクタ４０４は、セレクト信号４０２が０の場合は、フリップフロップ１１１ｂの出力Ｑの値を出力する。
【００２５】
フリップフロップ１１１ｂは、クロック信号１０３が立ち上がる時に、セレクタ２０１から送信される信号を入力Ｄから出力Ｑへ転送し、極性判定信号１０９として出力する。すなわち、極性判定部１０６は、パルス幅計測値１０８（カウンタ値）が０であるときに、垂直同期信号１０１が１であれば垂直同期信号１０１は負極性であると判定する。また、極性判定部１０６は、パルス幅計測値１０８が０であるときに、垂直同期信号１０１が０であれば垂直同期信号１０１は正極性であると判定する。
【００２６】
なお、本実施形態では、カウンタ値が０である場合に垂直同期信号１０１の極性を判定する方法を示したがこれに限られるものではない。たとえば、カウンタ値が垂直同期信号１０１の有効期間中にカウントした値の最小値よりも小さい場合に同信号の極性を判定しても良い。
【００２７】
図５は図１に示した極性判定装置の動作を示すタイミングチャートである。図５は垂直同期信号１０１が負極性である場合に、図１の極性判定装置が垂直同期信号の極性を判定するときの動作を示している。垂直同期信号１０１の有効期間は、時刻ｔ１から時刻ｔ３までの期間である。以下、図１〜図５を用いて、図１の装置の動作を説明する。
【００２８】
以下、例として、パルス幅計測部１０５の内部で設定する初期値を１０１０（２進数）とした場合について説明する。この初期値は１０進数で表すと、１０である。なお、ダウンカウンタ３１０においてカウンタ値が初期値から０になるまでカウントした場合の時間長は、垂直同期信号の有効パルスの幅よりも長く、垂直同期信号の周期幅よりも短くなる時間に相当するカウント値が初期値として設定されればよい。したがって初期値は１０である必要はなく、垂直同期信号１０１の有効期間中にカウンタ値が０にならず、かつ、垂直同期信号１０１の極性を判定する時間が長くなり過ぎない値であれば良い。また、パルス幅計測部１０５の内部でカウントするカウンタ値のビット幅は、上記初期値を設定可能なビット幅以上とすれば良い。
【００２９】
図１の装置に入力するクロック信号１０３の値は一定の周期で変化し、水平同期信号１０２の値はクロック信号が立ち上がるタイミングで変化する。なお、説明の便宜上、図５において水平同期信号のデューティ比を５０％とし、クロック信号１０３の立ち上がり毎に毎回、水平同期信号が１と０の間で切り替わるように記載されている。しかしながら、実際には、水平同期信号は、クロック信号１０３の所定数（複数）のクロック毎に１パルスだけ発生する。時刻ｔ０において、クロック信号１０３は０、垂直同期信号１０１は１、水平同期信号１０２は０、垂直同期信号記憶値１０７は１である。時刻ｔ１において、垂直同期信号１０１は０、水平同期信号１０２は１となる。このとき、パルス幅計測部１０５（図３）のゲート３０１、３０２の出力は１、ゲート３０３の出力は０となる。その後、ダウンカウンタを構成するレジスタ１１３に初期値１０がセットされる。
【００３０】
時刻ｔ２において、同期信号記憶部１０４（図２）の垂直同期信号記憶値１０７は０となる。このとき、図３のゲート３０１、３０２の出力は０となり、ゲート３０３の出力は１となる。以降、ゲート３０３の出力は、水平同期信号１０２の１／０の変化に応じて１／０となる。よって、カウンタ値は水平同期信号１０２が１となる度に、デクリメンタ３０４によりデクリメントされる。
【００３１】
時刻ｔ３において、垂直同期信号１０１は１となり、図３のゲート３０１、３０２の出力は１、ゲート３０３の出力は０となる。そのため、ダウンカウンタ３１０のカウント値がゼロに到達する前に、レジスタ１１３に初期値１０が再びセットされる。時刻ｔ４において、図３のゲート３０１、３０２の出力は０となり、ゲート３０３の出力は１となる。以降、水平同期信号１０２が１となる度にゲート３０３の出力は１となり、デクリメンタ３０４はカウンタ値のデクリメントをおこなう。
【００３２】
時刻ｔ４より時刻ｔ５までの間は、垂直同期信号１０１の値は１のままであるため、図３のゲート３０１、３０２の出力は０であり、ゲート３０３の出力は１である。ゲート３０３の出力は、水平同期信号１０２が１となる度に１となる。よって、水平同期信号１０２が１となる度にカウンタ値がデクリメントされる。以上のようにして、垂直同期信号の極性が切り替わった時点でダウンカウンタ３１０に初期値がセットされ、水平同期信号を検出するたびに初期値からカウント値が減算されていく。
【００３３】
時刻ｔ６において、カウンタ値は０（ゼロ）となり、ゲート４０１の出力信号は１となる。セレクト信号４０２は１となり、垂直同期信号１０１が極性判定部１０６（図４）のセレクタ４０４から出力される。時刻ｔ７において、クロック信号１０３が立ち上がるタイミングで、垂直同期信号１０１が図４のフリップフロップ１１１ｂの入力Ｄから出力Ｑに転送される。このとき、極性判定信号１０９は１となり、垂直同期信号１０１が負極性（ロウアクティブ）であると判定される。
【００３４】
以上、図５により垂直同期信号１０１が負極性と判定される場合の極性判定装置の動作を説明した。次に、垂直同期信号１０１が正極性と判定される場合の動作を説明する。図６は垂直同期信号１０１が正極性である場合に、本実施形態の極性判定装置が垂直同期信号の極性を判定するときの動作を示している。垂直同期信号１０１の有効期間は、時刻ｔ１から時刻ｔ３までの期間である。以下、図１〜図４と図６を用いて、図１の装置の動作を説明する。
【００３５】
以下、図５を用いた説明と同様に、ダウンカウンタの内部で設定される初期値を１０（１０進数）とした場合について説明する。図５と同様に、図１の装置に入力するクロック信号１０３の値は一定の周期で変化し、水平同期信号１０２の値はクロック信号が立ち上がるタイミングで変化する。
【００３６】
時刻ｔ０において、クロック信号１０３は０、垂直同期信号１０１は０、水平同期信号１０２は０、垂直同期信号記憶値１０７は０である。時刻ｔ１において、垂直同期信号１０１は１、水平同期信号１０２は１となる。このとき、パルス幅計測部１０５（図３）のゲート３０１、３０２の出力は１、ゲート３０３の出力は０となる。その後、ダウンカウンタに初期値１０がセットされる。
【００３７】
時刻ｔ２において、図２の垂直同期信号記憶値１０７は１となる。このとき、図３のゲート３０１、３０２の出力は０となり、ゲート３０３の出力は１となる。以降、ゲート３０３の出力は、水平同期信号１０２が１となるたびに１となる。よって、カウンタ値は水平同期信号１０２が１となる度にデクリメントされる。
【００３８】
時刻ｔ３において、垂直同期信号１０１は０となり、図３のゲート３０１、３０２の出力は１、ゲート３０３の出力は０となる。その後、レジスタ１１３に初期値１０がセットされる。時刻ｔ４において、図３のゲート３０１、３０２の出力は０となり、ゲート３０３の出力は１となる。以降、水平同期信号１０２が１となる度にゲート３０３の出力は１となり、デクリメンタ３０４はカウンタ値のデクリメントをおこなう。
【００３９】
すなわち、時刻ｔ４より時刻ｔ５までの間は、垂直同期信号１０１の値は０のままであるため、図３のゲート３０１、３０２の出力は０であり、ゲート３０３の出力は１である。ゲート３０３の出力は、水平同期信号１０２が１となる度に１となる。よって、水平同期信号１０２が１となる度にカウンタ値がデクリメントされる。
【００４０】
時刻ｔ６において、カウンタ値は０となり、極性判定部１０６（図４）のゲート４０１の出力信号は１となる。セレクト信号４０２は１となり、垂直同期信号１０１がセレクタ２０１から出力される。時刻ｔ７において、クロック信号１０３が立ち上がるタイミングで、垂直同期信号１０１がフリップフロップ１１１ｂの入力Ｄから出力Ｑに転送される。このとき、極性判定信号１０９は０となり、垂直同期信号１０１は正極性（ハイアクティブ）であると判定される。
【００４１】
以上、詳細に説明したように第１実施形態における映像同期信号の極性判定装置によれば、映像同期信号のうち垂直同期信号の極性判定にかかる時間が短縮され、短い時間で画面表示を開始することが可能である。
【００４２】
なお、本実施形態では、パルス幅計測部１０５のカウンタ値をデクリメントする方法を示したが、カウンタ値をインクリメントする方法を用いても良い。その場合、極性判定部１０６は、カウンタの値が垂直同期信号の有効期間中にカウントした値の最大値よりも大きい場合に、垂直同期信号の値が０であればその極性を正極性であると判定するような回路とすれば良い。加えて、極性判定部１０６は、カウンタの値が垂直同期信号の有効期間中にカウントした値の最大値よりも大きい場合に、垂直同期信号の値が１であればその極性を負極性であると判定するような回路とすれば良い。
【００４３】
＜第２実施形態＞
第１実施形態では、ビデオ信号に含まれる垂直同期信号の有効時の極性を迅速に判定する構成を説明した。第２実施形態では、ビデオ信号に含まれるデータ有効信号（ピクセルデータ有効信号）の有効時の極性を迅速に判定する構成を説明する。
【００４４】
図７は、第２実施形態に係るピクセルデータ有効信号の有効時の極性を判定する極性判定装置の構成を示すブロック図である。第２実施形態の極性判定装置の回路構成は、図２に示した同期信号記憶部１０４と同様である。また、図７に示す極性判定装置は、セレクタ７１１に入力する信号を、垂直同期信号１０１からピクセルデータ有効信号７０１に変えたものである。他の入力信号は、図２示した同期信号記憶部１０４と同様の信号である。なお、第１実施形態と同様に、水平同期信号１０２がハイアクティブであるかロウアクティブであるかは本実施形態のピクセルデータ有効信号の極性判定装置においてはあらかじめ決まっているものとする。以降では、水平同期信号１０２はハイアクティブであるとして説明する。
【００４５】
セレクタ７１１は、ピクセルデータ有効信号７０１、水平同期信号１０２、およびフリップフロップ７１２の出力信号を入力とし、水平同期信号１０２が１である場合に、ピクセルデータ有効信号７０１を出力する。また、水平同期信号１０２が０である場合に、ピクセルデータ有効信号の極性判定信号７０３を出力する。フリップフロップ７１２は、クロック信号１０３の立ち上がり時に、セレクタ出力信号７０２を入力Ｄから出力Ｑへ転送し、ピクセルデータ有効信号の極性判定信号７０３として出力する。
【００４６】
図８は図７の極性判定装置の動作を示すタイミングチャートである。図８は、極性判定をおこなうときに、ピクセルデータ有効信号が負極性である場合の動作を示す。以下、図８を用いて、図７の極性判定装置の動作を説明する。
【００４７】
極性判定装置（図７）に入力するクロック信号１０３の値は一定の周期で変化し、水平同期信号１０２の値はクロック信号１０３が立ち上がるタイミングで変化する。なお、水平同期信号１０２は、所定数のクロック信号１０３をカウントする毎に、挿入されるパルス信号である。
【００４８】
時刻ｔ１において、水平同期信号１０２が１へ変化する。このとき、ピクセルデータ有効信号７０１は０であるため、セレクタ出力信号７０２は０となる。時刻ｔ２において、クロック信号１０３が立ち上がるタイミングで、セレクタ出力信号７０２がフリップフロップ２０２の入力Ｄから出力Ｑへ転送され、ピクセルデータ有効信号の極性判定信号７０３が出力される。このとき、ピクセルデータ有効信号７０１は０であり、ピクセルデータ有効信号７０１は負極性であると判定される。
【００４９】
次に、ピクセルデータ有効信号の極性が正極性の場合を説明する。図９は、極性判定をおこなうときに、ピクセルデータ有効信号が正極性である場合の本実施形態による極性判定装置の動作を示すタイミングチャートである。以下、図９を用いて、図７の極性判定装置の動作を説明する。なお、図９においても、図８と同様に、極性判定装置に入力するクロック信号１０３の値は一定の周期で変化し、水平同期信号１０２の値はクロック信号が立ち上がるタイミングで変化する。
【００５０】
時刻ｔ１において、水平同期信号１０２が１へ変化する。このとき、ピクセルデータ有効信号７０１は１であるためセレクタ出力信号７０２は１となる。時刻ｔ２において、クロック信号１０３が立ち上がるタイミングで、セレクタ出力信号７０２がフリップフロップ２０２の入力Ｄから出力Ｑへ転送され、ピクセルデータ有効信号の極性判定信号７０３が出力される。このとき、極性判定信号７０３は１となり、ピクセルデータ有効信号７０１は正極性であると判定される。
【００５１】
なお、図７におけるピクセルデータ有効信号の極性判定装置は、水平同期信号が変化した際に判定結果を得る構成とすることも可能である。すなわち水平同期信号が変化した場合にピクセルデータ有効信号が０であればその有効時の極性を正極性と判定し、ピクセルデータ有効信号が１であればその有効時の極性を負極性と判定する。
【００５２】
以上、詳細に説明したように本実施形態における映像同期信号極性判定装置によれば、映像同期信号のうちピクセルデータ有効信号の極性判定にかかる時間が短縮され、短い時間で画面表示を開始することが可能である。
【００５３】
なお上述した機能の一部あるいは全てをコンピュータが所定のプログラムを実行する個により実現するようにしてもよい。
したがって、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014229948.tif 000003
【図２】
2014229948.tif 000004
【図３】
2014229948.tif 000005
【図４】
2014229948.tif 000006
【図５】
2014229948.tif 000007
【図６】
2014229948.tif 000008
【図７】
2014229948.tif 000009
【図８】
2014229948.tif 000010
【図９】
2014229948.tif 000011